(57)【要約】水銀の除去方法【目的】本発明の目的は、試薬類中に微量混入して高感度分析の妨げとなる水銀を除去する方法に関するもので、高効率で水銀が捕集でき、かつ再利用を可能とするような捕集剤の新規開発とそれを用いる水銀除去方法を提供することである。【構成】本発明の構成は、捕集剤の基材として生態系や環境に負荷を与えないという特徴を有する架橋型キトサンを用いることで水銀の吸着捕集効率を高め、かつ塩酸とチオ尿素混合溶液からなる溶離液でほぼ定量的に捕集された水銀が回収でき、さらに捕集剤の繰り返し使用を可能にしたことからなる。【特許請求の範囲】
【請求項１】
キトサンを基材として化学反応により架橋処理して得られる吸着捕集剤を利用する水銀の除去方法。
【発明の詳細な説明】
【０００１】
【発明の属する技術分野】
本発明は微量水銀の除去方法に関するものであり、分析科学はもちろんのこと環境科学、材料科学、生命科学、品質管理、工程管理に属する分野及び他の分野において高効率で簡便、低コストな方法を提供するものである。
【０００２】
【従来の技術】
水銀の微量分析を行う祭、水銀標準溶液は塩酸溶液として用いる必要がある。これは沸点の低い水銀が安定なクロロ錯陰イオンを形成する性質を利用するもので、標準溶液は長期間、安定に保存することが可能となる。このように水銀の分析には塩酸を用いるが、この塩酸中に不純物として含まれる水銀が常に超微量分析の大きな問題となっている。もちろん他の金属の微量分析を行う際も同様に、分析に用いる酸類の高純度化は必要不可欠であることは言うまでもない。また、水銀は有害金属の代表的なひとつであり、微量でも生態系への影響が懸念されている。従って自然環境水中、水道水中及び排水中の水銀の簡便な除去、浄化も環境科学、生命科学上重要である。
【０００３】
種々の分析に用いられる酸、特に塩酸中の水銀の一般的な分離除去方法としては、水銀が安定なクロロ錯陰イオンを生成することを利用し、陰イオン交換樹脂を用いて吸着除去する方法が一般的である。陰イオン交換樹脂を用いると水銀は非常に強く樹脂に吸着される。それゆえに捕集した水銀の樹脂からの溶離が困難となり、樹脂を繰り返し使用することができないという欠点を持っている。このことはコストの増大を招き、廃棄物は出さないというゼロエミッション構想にも逆行するものである。さらに使用済み樹脂の処理は灰化法にて行うことから、処理中、水銀の大気への拡散の恐れがあり、特殊な回収装置が必要で、作業性、コスト、環境負荷など問題が多い。一方、環境科学の分野で水銀汚染水の浄化では、活性炭が一般的に用いられているが、吸着効率が極めて悪く、かつ使用済み活性炭の再利用もできないという現実があり、実用に供するには多くの課題を抱えている。
【０００４】
【発明が解決しようとする課題】
そこで本発明は水銀を除去する際、一度吸着捕集した水銀の溶離の困難さから発生するコスト増や環境負荷の問題点を解決すべく、高い吸着効率を維持しつつ、吸着捕集した水銀が容易に溶離できる捕集基材を開発し、効果的な水銀の除去方法を提供することにある。
【０００５】
【問題を解決するための手段】
本発明は化学反応により架橋処理して得られたキトサンを基材とする吸着捕集剤を新規に開発し水銀を高い効率で捕集除去する方法に関するものである。従来の水銀の捕集除去に用いられてきた陰イオン交換樹脂は、ポリスチレン・ジビニルベンゼンのような非常に疎水性の高い基材が多く利用されてきた。この樹脂を用いて捕集した場合、吸着された水銀は、いかなる溶媒を用いても溶離するのは非常に困難であり、その結果として樹脂の再利用は不可能であった。本発明では捕集剤の基材としてキトサンを利用することを特徴としている。キトサンは生態系や環境に対して負荷を与えない、優れた素材である。さらに分子内にアミノ基や一級水酸基を持っているため、化学的な誘導体化が容易であり、さまざまな機能の修飾が可能となる。キトサンの高い親水性に起因して錯形成反応速度やイオン交換速度が格段に速くなる。この点は従来から樹脂基材としてよく利用されている疎水性の高いポリスチレン・ジビニルベンゼン基材を用いる場合では達成することのできない、優れた機能である。
【０００６】
しかし、キトサン自身は酸性溶液に溶けやすいため、このままの形での利用は困難である。そこで、本発明では親水性の高い架橋試薬であるエチレングリコールジグリシジルエーテルを用いてキトサンの６位の水酸基を架橋させることにより、有効な機能を失うことなく水に不溶な分子に化学変化させて利用した。濃厚な酸溶液中でも溶けない架橋型キトサンは、本発明において初めて合成に成功したものである。
【０００７】
本発明で合成した架橋型キトサンをプラスチック製ミニカラム（例えば容量１ｍｌ、内径５．０〜５．５ｍｍ、長さ５０ｍｍ）に詰め、酸溶液についで超純水で洗浄した後、金属試料溶液を通し金属の吸着捕集を行った。超純水でカラムの洗浄を行い、最後に硝酸及び塩酸、チオ尿素混合溶液などを用いて捕集されている金属成分を溶出させる一連の操作で、回収されたそれぞれの溶液についてＩＣＰ−ＭＳを用いて金属イオン濃度を測定して吸着捕集、溶離挙動をまず明らかにした。本発明の架橋型キトサン捕集剤により吸着捕集された金属のうち水銀、パラジウム、白金及び金を除くほとんどの金属は、１Ｍ硝酸で溶離することにより回収されることがわかった。バナジウム、モリブデン、タングステン、ビスマスのような金属もよく捕集される。架橋型キトサン捕集材のアミノ基はプロトン化しており、陽イオンとして挙動をする。一方、前述の金属は水溶液中でオキソ酸陰イオンとして存在しており、両者の間での陰イオン交換反応により吸着捕集されると考えられる。また、銅や銀のように水溶液中ではオキソ酸として存在しない金属も捕集される。この場合の捕集機構は金属イオンとキトサンのアミノ基との配位結合によると考えることが妥当である。以上の実験結果から架橋型キトサンは陰イオンに対しては陰イオン交換樹脂として、アミノ基との配位能を有する金属に対してはキレート樹脂として機能することが判明した。
【０００８】
吸着捕集された水銀、パラジウム、白金及び金は１Ｍ硝酸では溶離回収することができないが、１Ｍ塩酸及び０．０５Ｍチオ尿素混合溶液で溶離回収することが可能であることが実験により明らかになった。これは水銀及び数種の貴金属がチオ尿素と安定な錯体を形成する性質による。図１に本発明による架橋型キトサンに吸着捕集された水銀、パラジウム、白金及び金の吸着捕集及び１Ｍ塩酸と０．０５Ｍチオ尿素混合溶液による溶離の際の回収率を示す。まず、カラム通過後の試料溶液中の金属回収率の比較で、水銀及び白金はほとんど回収されていないことから架橋型キトサンにほぼ定量的に吸着捕集されていることを示している。一方、パラジウム及び金は捕集が完全でないことが明らかである。１Ｍ塩酸と０．０５Ｍチオ尿素混合溶液による溶離液中の金属回収率から、パラジウム及び白金では吸着した成分の溶離の困難さがわかる。一方、水銀及び金では１回の溶離操作でほぼ１００％回収できていることがわかる。以上の架橋型キトサンによる吸着捕集及び溶離挙動の結果から本発明による架橋型キトサン捕集剤は、水銀の吸着捕集に最も有効であることが証明され、しかも捕集剤からはほぼ１００％水銀が溶離できることから、捕集剤としての再使用は充分可能である。
【０００９】
次に水銀の架橋型キトサンへの吸着における塩化物イオンの影響について検討を加えた結果を表１にまとめた。水銀試料溶液を塩酸を用いて調製すると、安定なクロロ錯陰イオンを形成する。それゆえ水銀クロロ錯陰イオンは陰イオン交換反応により架橋型キトサンに吸着捕集される。その卓越した能力は、最終的に溶離液中にのみ１００％水銀が回収されることで証明することができる。一方、硝酸で調製した場合は、試料溶液中に少量含まれる塩化物イオンと錯陰イオンを形成するのみであり、強固な吸着挙動を示さないことが実験から明らかとなった。本発明の水銀除去方法は安定なクロロ錯陰イオンを形成する系に極めて有効で、濃塩酸中の微量水銀の除去、及び水銀汚染水の浄化にその効果を発揮するものである。
【００１０】
【実施例１】
架橋型キトサンの合成：キトサンフレークを粉砕した後、ふるいを用いて１００〜３００μｍのものを分取した。分取したキトサン２０ｇをエタノール２００ｍｌに懸濁させ、この懸濁液にベンズアルデヒド８０ｇを加え室温で１２時間撹拌する。反応終了後未反応のベンズアルデヒドを取り除くためにエタノールと水で十分に洗浄して、目的とする物質の中間体であるアミノ基がベンズアルデヒドで保護されたキトサンを得た。続いてこの中間体をジオキサン３００ｍｌに懸濁させ、これにエチレングリコールジグリシジルエーテル３０ｇと１Ｍ水酸化ナトリウム４０ｍｌを加え、３時間還流する。反応終了後、未反応物を取り除くためにエタノールと水で十分に洗浄して架橋型キトサンを得た。最後にベンズアルデヒドによる保護基を除去するために、０．５Ｍ塩酸１０００ｍｌに生成物を懸濁させ、室温で１２時間撹拌し、反応終了後、エタノールと水で十分に洗浄した。この操作を２回繰り返し脱保護基の反応を完結させ、純品を集めた。この操作で架橋型キトサンを得ることができた。
【００１１】
【実施例２】
濃塩酸中からの微量水銀の除去：架橋型キトサン１ｍｌあるいは５ｍｌをプラスチック製ミニカラムに詰めたものを使用する。まず、カラムに２０ｍｌの１Ｍ塩酸と０．０５Ｍチオ尿素混合溶液、２０ｍｌ硝酸及び２０ｍｌ超純水を通して洗浄した。試料として４０ｍｌの濃塩酸を前述のカラムに通して水銀の除去効率を調べた結果を表２に示して説明する。架橋型キトサン１ｍｌを用いて生成した場合、水銀の除去率は約７５％で十分とはいえないが、５ｍｌを用いることで除去率は９６％以上に大幅に改善されていることがわかる。以上のように架橋型キトサンを用いて濃塩酸をカラム精製処理することで濃塩酸中に含まれる微量水銀を簡単に除去することが可能となった。本発明の水銀の除去方法によれば市販の特級試薬のような比較的安価な濃塩酸中の水銀濃度の低減化に非常に有用であり、除去後の水銀濃度は超高純度試薬として市場で高価格で販売されているものより低い値を示した。
【表１】
2004074128.tif 000002
【表２】
2004074128.tif 000003
【００１２】
【発明の効果】
以上説明したように本発明では、キトサンを基材として化学反応により架橋処理を施して得られる捕集剤を新規に合成し、これを用いる水銀の除去方法を開発した。本発明を用いることにより生じる特有の効果としては次のようなことを挙げることができる。▲１▼試料溶液をカラムに通過させるだけの操作で、試料中の水銀をほぼ定量的に吸着捕集することができ、簡便で高効率な水銀の除去が可能である。▲２▼吸着捕集した水銀は１Ｍ塩酸と０．０５Ｍチオ尿素混合溶液をカラムに通すだけでほぼ定量的に回収でき、従来の技術では不可能であった捕集剤の再利用を可能にした。▲３▼本発明は濃塩酸からの微量水銀の除去に極めて有効で、市販の特級試薬を処理することで、市販の超高純度塩酸をも上回る水銀の低減化を可能にする。▲４▼塩酸の高純度化により水銀の超高感度分析を可能にする。▲５▼塩酸のみならず水銀汚染水の浄化にも本発明の水銀除去方法は有効に利用することができる。
【図面の簡単な説明】
【図１】
架橋型キトサンに吸着捕集された水銀、パラジウム、白金及び金の回収率
【図１】
2004074128.tif 000004